(57)【要約】【課題】蓋部を開けやすい床用配線部材及びそれを用いた床用配線器具を提供する。【解決手段】床用配線部材１は、床面に取り付けられる取付プレート２と、取付プレート２に回転自在に支持されて開口部８を開閉する蓋部３と、開閉用ボタン３２ａとを備える。開閉用ボタン３２ａは、蓋部３から露出するように設けられ、蓋部３を回転自在に支持する軸４の軸方向と平行する直線Ｌ２と直交し且つ蓋部３の中心Ｃ１を通る直線Ｌ１に対して、蓋部３の中心Ｃ１から軸４を見た場合の右手側に設けられる。開閉用ボタン３２ａは、スライド操作の方向と平行する矢印Ｄ２と直線Ｌ１とが斜めに交差するように設けられる。【選択図】図１
2015154549.tif 000002
【特許請求の範囲】
【請求項１】
床下に配置されてプラグが着脱される配線器具を露出させる開口部を有し床面に取り付けられる取付プレートと、
前記取付プレートに回転自在に支持されて前記開口部を開閉する蓋部と、
前記蓋部から露出するように設けられ、前記蓋部を閉状態で保持する保持部の保持状態を解除するためにスライド操作される解除部とを備え、
前記解除部は、前記蓋部を回転自在に支持する軸の軸方向と直交し且つ前記蓋部の中心を通る直線に対して、前記蓋部の中心から前記軸を見た場合の右手側に設けられ、
前記解除部は、スライド操作の方向と前記直線とが斜めに交差するように設けられる
ことを特徴とする床用配線部材。
【請求項２】
請求項１に記載の床用配線部材と、
前記配線器具及び前記配線器具を床下に取り付けるための取付部材を有する器具ブロックと
を備えることを特徴とする床用配線器具。
【発明の詳細な説明】
【技術分野】
【０００１】
本発明は、床用配線部材及びそれを用いた床用配線器具、より詳細には開閉自在に設けられた蓋部を有する床用配線部材及びそれを用いた床用配線器具に関する。
【背景技術】
【０００２】
従来、床下に配置された配線器具ブロックを露出させる開口部を有し、床材に取り付けられるプレート部材と、プレート部材に回転自在に支持されて開口部を塞ぐ蓋材とを備えた床用配線部材があった（例えば特許文献１参照）。蓋材には、蓋材の閉状態を保持する保持片の保持状態を解除する開閉用釦が設けられている。開閉用釦は、蓋材の回転軸の軸方向と直交する方向にスライド操作するように設けられていて、開閉用釦を蓋材の回転軸に近づけるようにスライド操作すると蓋材の閉状態が解除される。
【先行技術文献】
【特許文献】
【０００３】
【特許文献１】特開２０１２−２４４８７１号
【発明の概要】
【発明が解決しようとする課題】
【０００４】
特許文献１に記載された床用配線部材の蓋材を開く場合、使用者は、開閉用釦の外側に位置して蓋材を開けようとする。この場合、使用者は手を伸ばして蓋材を体から遠ざけるように回転させる必要があり、蓋材を開ける作業がやりにくかった。
【０００５】
本発明は上記課題に鑑みて為され、蓋部を開けやすい床用配線部材及びそれを用いた床用配線器具を提供することを目的とする。
【課題を解決するための手段】
【０００６】
上記課題を解決するために、本発明の床用配線部材は、取付プレートと、蓋部と、解除部とを備える。取付プレートは、床下に配置されてプラグが着脱される配線器具を露出させる開口部を有し床面に取り付けられる。蓋部は、前記取付プレートに回転自在に支持されて前記開口部を開閉する。解除部は、前記蓋部から露出するように設けられ、前記蓋部を閉状態で保持する保持部の保持状態を解除するためにスライド操作される。前記解除部は、前記蓋部を回転自在に支持する軸の軸方向と直交し且つ前記蓋部の中心を通る直線に対して、前記蓋部の中心から前記軸を見た場合の右手側に設けられる。前記解除部は、スライド操作の方向と前記直線とが斜めに交差するように設けられることを特徴とする。
【０００７】
この発明において、床用配線器具は、上記に記載の床用配線部材と、前記配線器具及び前記配線器具を床下に取り付けるための取付部材を有する器具ブロックとを備えることも好ましい。
【発明の効果】
【０００８】
本発明によれば、解除部は、蓋部を回転自在に支持する軸の軸方向と直交し且つ蓋部の中心を通る直線に対して、蓋部の中心から軸を見た場合の右手側に設けられ、スライド操作の方向と前記直線とが斜めに交差するように設けられる。使用者が解除部の外側に位置して蓋部を開けようとすると、使用者から見て蓋部の回転方向は右方向となるので、右手で蓋部を開けやすい。
【図面の簡単な説明】
【０００９】
【図１】本実施形態の床用配線器具を示し、図１（ａ）は上面図、図１（ｂ）は正面図、図１（ｃ）は側面図である。
【図２】本実施形態の床用配線器具を示し、図２（ａ）は蓋部が閉じた状態の上面図、図２（ｂ）は蓋部が開口した状態の上面図、図２（ｃ）は背面図、図２（ｄ）は右斜め後側から見た斜視図である。
【図３】本実施形態の床用配線器具が床面に取り付けられた状態の断面図である。
【図４】本実施形態の床用配線器具を示し、図４（ａ）は蓋部が閉じた状態の斜視図、図４（ｂ）は蓋部が開いた状態の斜視図である。
【図５】本実施形態の床用配線器具を示し、図５（ａ）は通線チップが開いた状態の斜視図、図５（ｂ）はケーブルを通して蓋部を閉じた状態の斜視図である。
【発明を実施するための形態】
【００１０】
本発明に係る床用配線部材を備えた床用配線器具の実施形態を図１〜図５に基づいて説明する。以下の説明では図１（ａ）に示す向きを基準として左右の方向を規定し、図１（ａ）における上方向を後方向、図１（ａ）における下方向を前方向として説明する。また、図３に示す向きを基準として上下の方向を規定するが、実際の使用状態での方向を限定する趣旨ではない。
【００１１】
本実施形態の床用配線器具１０は、配線器具５及び配線器具５を床下に取り付けるための取付金具６ａ（取付部材）を有する器具ブロック６と、床用配線部材１とを備える（図３参照）。尚、床用配線部材１は、本実施形態で説明する床用配線器具１０に用いられることに限定されない。
【００１２】
床用配線部材１は、図２（ａ）〜（ｄ）に示すように取付プレート２と蓋部３とを備える。
【００１３】
取付プレート２は、例えばアルミダイキャストにより丸形の平板状に形成されている。取付プレート２の中央部には、取付プレート２を上下方向に貫通する開口部８が設けられている。
【００１４】
開口部８は、床下に配置される配線器具５を露出するために設けられている。開口部８の後側の縁部分には、開口部８の内側方向に突出する載置片２１が設けられており、載置片２１には蓋部３が閉じた状態で蓋部３の後側の縁部分が載置される。載置片２１には、取付ねじを通すための長孔２２が形成されている。開口部８の前側の縁部分には、開口部８の内側方向に突出する載置片２３が設けられており、載置片２３には蓋部３が閉じた状態で蓋部３の前側の縁部分が載置される。載置片２３には取付ねじを通すための丸孔２４が形成されている。
【００１５】
蓋部３は、蓋本体３０及び通線用扉３３を備えている。蓋本体３０及び通線用扉３３はそれぞれ、例えばアルミニウムのダイキャスト成形品である。
【００１６】
蓋本体３０は、上面視の形状が丸形の平板状に形成されており、蓋本体３０の前側には、ケーブルを通すための溝３０ａが形成されている。蓋本体３０の背面側の外周部には、軸４を回転自在に支持する支持部３１ａが設けられている。支持部３１ａは、蓋本体３０の背面にねじ止めされており、支持部３１ａと蓋本体３０との間に軸孔３１ｂが形成されている。軸孔３１ｂは、閉状態における蓋本体３０の右側面から見た形状が下に凸の円弧状になるように形成されている。蓋本体３０は、図２（ｄ）に示すように軸孔３１ｂに通された軸４を中心に回転自在に支持されている。閉状態の蓋本体３０は、載置片２１，２３の上に配置されて開口部８を覆っており、蓋本体３０の上面が床面と平行な状態になる。
【００１７】
軸４は、閉状態の蓋部３の表面と垂直な方向（上下方向）から見た場合に、配線器具５にプラグ１６が差し込まれる方向（図２（ｂ）の矢印Ｄ１に沿う方向）に対して軸方向が斜めに交差するように設けられる。軸４は、閉状態の蓋部３の表面と垂直な方向から見た場合に、蓋部３の中心Ｃ１を通って矢印Ｄ１の方向と平行する（第３の）直線Ｌ３を０度より大きく且つ９０度より小さい所定の角度Ｒ１だけ右回りに回転させた（第２の）直線Ｌ２と平行するように設けられる。尚、蓋部３の表面と垂直な方向とは、蓋部３の表面と直角に交差している方向に限定されず、人の目で見てほぼ直交しているとみなせる方向であれば、直交方向から多少（数度程度）ずれていてもよい。
【００１８】
軸４の両端は取付プレート２の内周部に設けられた軸受部２５にそれぞれ支持されている。
【００１９】
蓋本体３０には、図１（ａ）〜（ｃ）に示すように、開閉用ボタン３２ａ（解除部）が上面に露出するように設けられている。開閉用ボタン３２ａは、蓋部３の背面側に蓋本体３０の外周部から蓋本体３０の径方向の外向きに突出する保持片３２ｂ（保持部）と一体に形成されている。保持片３２ｂは、ばね（図示せず）により外向きに突出する方向の力を受けている。蓋本体３０が閉じられた状態では、保持片３２ｂが取付プレート２の裏面に引っかかることによって、蓋本体３０が閉じた状態で保持されている。蓋本体３０は背面にコイルばね９を備えている（図４（ｂ）参照）。コイルばね９は閉状態の蓋本体３０と載置片２１とで挟まれて縮み、蓋本体３０を開方向にばね力で付勢する。閉状態の蓋本体３０において、開閉用ボタン３２ａをばね力に抗して図１（ａ）の矢印Ｄ２方向（本実施形態では左方向）に移動させると、保持片３２ｂが蓋本体３０の内側に収納され閉状態が解除される。蓋本体３０はコイルばね９のばね力によって上方向に持ち上げられ、開方向にわずかに開いた状態になる。使用者は、わずかに開いた蓋本体３０を回転させて蓋部３を開状態にする。
【００２０】
開閉用ボタン３２ａは、軸４の軸方向（直線Ｌ２）と直交し且つ蓋本体３０の中心Ｃ１を通る（第１の）直線Ｌ１に対して、中心Ｃ１から軸４を見た場合に右手側に設けられる。開閉用ボタン３２ａは、スライド操作の方向（図１（ａ）の矢印Ｄ２に沿う方向）と軸４の軸方向（直線Ｌ２）とが斜めに交差するように設けられる。使用者は、開閉用ボタン３２ａの外側（取付プレート２の右側）に立って開閉用ボタン３２ａを奥方向（矢印Ｄ２に沿う方向）にスライド操作する。使用者は、使用者から見て右斜め奥方向（図１（ａ）の後斜め左方向）に蓋本体３０を回転させて蓋部３を開状態にできるので、蓋部３を右手で開けやすい。また、右手の人差し指又は中指で開閉用ボタン３２ａをスライド操作し、右手の親指で蓋本体３０の背面を押して蓋部３を回転させることができるため、右手だけで蓋部３を開けやすくなる。
【００２１】
蓋本体３０には、溝３０ａを開閉する矩形板状の通線用扉３３が取り付けられており、通線用扉３３の前側の１辺は蓋本体３０の外周部の一部を形成している。通線用扉３３の後側には左右方向に沿う軸（図示せず）が設けられていて、通線用扉３３は前側の斜め上向きに開口するように回転自在に支持されている。通線用扉３３の左右両側の縁部にはそれぞれ、下方向に突出する平板上の脚片３４が設けられている。それぞれの脚片３４の間には、通線用扉３３の開口を通して床面に配線される電線１４を保護するためのブッシング３５が取り付けられている。
【００２２】
次に、器具ブロック６について図３を参照して説明する。
【００２３】
器具ブロック６は、配線器具５及び配線器具５を床下に取り付けるための取付金具６ａを有し、床材１１に設けた孔１２ａ内に配置される。
【００２４】
床材１１は、コンクリートの床部１２と表面材１３を備える。床部１２の表面には表面材１３が取り付けられており、床部１２及び表面材１３には、床部１２に埋設された配線ボックス７ａを露出させるための孔１２ａが設けられている。孔１２ａは、上面視の形状が取付プレート２の鍔部２０よりもやや小さい円形状に形成されている。
【００２５】
配線ボックス７ａは、上面に開口部（図示せず）を有する矩形箱状に形成されている。配線ボックス７ａには、それぞれねじ孔（図示せず）が設けられた２つの固定片７ｂが設けられ、取付プレート２を取り付けるための取付ねじ７ｃ，７ｄが、それぞれ対応する固定片７ｂのねじ孔にねじ込まれる。配線ボックス７ａの側面には、床部１２内に埋設された電線管１５が取り付けられる。
【００２６】
配線器具５は、配線ボックス７ａの内側に配置される。配線器具５は、例えば大角形連用配線器具として規格化されたＡＣ１００Ｖ用のコンセントであり、合成樹脂製の取付枠６ｂに取り付けられている。配線器具５は接続口を取付金具６ａの開口部（図示せず）から露出させた状態で、取付枠６ｂが取付金具６ａにねじ止めされている。取付金具６ａは、図２に示すように配線器具５の接続口が斜め上向きとなるように配線器具５を保持している。取付金具６ａに配線器具５が取り付けられた状態で、取付金具６ａを配線ボックス７ａの上面に設けられている固定片７ｂのねじ孔に取付ねじ７ｅでねじ止めする。
【００２７】
配線器具５に接続される電線（図示せず）は、電線管１５内を通って例えば配電盤等に接続される。尚、配線器具５はＡＣ１００Ｖ用のコンセントに限定されず、例えばＬＡＮ（Local Area Network）コンセントやモジュラージャック等の適宜の接続口を備えていてもよい。また、本実施形態における配線器具５の接続口は２個であるが、適宜の個数でもよい。
【００２８】
ここで、配線ボックス７ａ内に配線器具５が固定された状態で、取付プレート２を床材１１上に取り付ける手順を説明する。
【００２９】
配線ボックス７ａに設けられた２つの固定片７ｂのねじ孔（図示せず）と取付プレート２の長孔２２及び丸孔２４の位置を合わせた状態で、取付プレート２を床材１１上（床面）に配置する。蓋部３を開けた状態で、取付プレート２の丸孔２４に通された取付ねじ７ｃが一方の固定片７ｂのねじ孔にねじ込まれ、長孔２２に通された取付ねじ７ｄが他方の固定片７ｂのねじ孔にねじ込まれることにより、取付プレート２が配線ボックス７ａに取り付けられる。取付プレート２は、床部１２内に埋設された配線ボックス７ａに取り付けられることにより、表面材１３上に固定される。
【００３０】
次に、配線器具５にプラグ１６を着脱する操作について、図４（ａ）（ｂ）及び図５（ａ）（ｂ）を参照して説明する。
【００３１】
蓋本体３０及び通線用扉３３がそれぞれ閉じている状態（図４（ａ））で、使用者は開閉用ボタン３２ａの外側（取付プレート２の右側）から開閉用ボタン３２ａに向かって手を伸ばす。使用者は床用配線部材１の前側から蓋本体３０の開閉用ボタン３２ａをばね力に抗して矢印Ｄ２に沿う方向（左方向）にスライド操作すると、保持片３２ｂによる蓋本体３０の閉状態の保持が解除される。蓋本体３０はコイルばね９のばね力によって上方向に持ち上げられ、開方向にわずかに開いた状態になる。使用者は、わずかに開いた蓋本体３０の縁部分に右手の親指をひっかけて、蓋部３を右斜め奥方向に回転させて蓋本体３０を開状態にする（図４（ｂ））。すなわち、開閉用ボタン３２ａを奥方向にスライド操作した後に蓋本体３０を右斜め奥方向に回転させることにより、使用者は蓋本体３０を右手で開状態にすることができるため、右利きの使用者にとって蓋本体３０を開きやすい。
【００３２】
蓋本体３０を開状態にすると、開口部８を通して配線器具５が露出する。使用者は、プラグ１６を開口部８から内部に挿入し、配線器具５の接続口にプラグ１６を接続する。
【００３３】
通線用扉３３を上方向に回転させて開状態にして（図５（ａ））、ブッシング３５を蓋本体３０の上面側に露出させる。ブッシング３５の切込み部に電線１４を通した状態で蓋本体３０を閉じると、電線１４が溝３０ａから床材１１上に引き出される（図５（ｂ））。脚片３４が載置片２３の上に載置されることにより、通線用扉３３の開状態が保持される。
【００３４】
尚、上述した手順と逆の手順を行うことによって、使用者は通線用扉３３及び蓋本体３０を閉状態にすることができる。
【００３５】
以上説明したように、本実施形態の床用配線部材１は、取付プレート２と、蓋部３と、開閉用ボタン３２ａ（解除部）とを備える。取付プレート２は、床下（床部１２）に配置されてプラグ１６が着脱される配線器具５を露出させる開口部８を有し床面（表面材１３）に取り付けられる。蓋部３は、取付プレート２に回転自在に支持されて開口部８を開閉する。開閉用ボタン３２ａ（解除部）は、蓋部３から露出するように設けられ、蓋部３を閉状態で保持する保持片３２ｂ（保持部）の保持状態を解除するためにスライド操作される。開閉用ボタン３２ａ（解除部）は、蓋部３を回転自在に支持する軸４の軸方向（直線Ｌ２）と直交し且つ蓋部３の中心Ｃ１を通る直線Ｌ１に対して、蓋部３の中心Ｃ１から軸４を見た場合の右手側に設けられる。開閉用ボタン３２ａ（解除部）は、スライド操作の方向（本実施形態では図１の矢印Ｄ２に沿う方向）と直線Ｌ１とが斜めに交差するように設けられる。
【００３６】
使用者が開閉用ボタン３２ａの外側に立って蓋部３を開ける際に、蓋部３の回転方向は右方向となるので、右手で蓋部３を開けやすい。
【００３７】
本実施形態の床用配線器具１０は、床用配線部材１と、配線器具５及び配線器具５を床下（床部１２）に取り付けるための取付部材（取付金具６ａ、取付枠６ｂ）を有する器具ブロック６とを備える。床用配線器具１０は床用配線部材１を備えているので、右手で蓋部を開けやすい床用配線器具を提供することができる。
【００３８】
尚、本実施形態の蓋部３は、丸形の蓋本体３０を備えているが蓋本体３０の形状は丸形の他にも例えば四角形状や多角形状であってもよく、蓋部３はその蓋本体の形状に対応する取付プレートを備えていればよい。
【符号の説明】
【００３９】
１  床用配線部材
２  取付プレート
３  蓋部
３０  蓋本体
３２ａ  開閉用ボタン（解除部）
３２ｂ  保持片（保持部）
４  軸
５  配線器具
６  器具ブロック
７ａ  配線ボックス
８  開口部
１０  床用配線器具
１１  床材（床面）
Ｃ１  中心（蓋部の中心）
Ｄ２  矢印（スライド操作の方向）
Ｌ１  直線（第１の直線）
Ｌ２  直線（第２の直線）
Ｌ３  直線（第３の直線）
【図１】
2015154549.tif 000003
【図２】
2015154549.tif 000004
【図３】
2015154549.tif 000005
【図４】
2015154549.tif 000006
【図５】
2015154549.tif 000007